(57)【要約】【課題】非力なユーザーであっても容易に内部の水を排水することができる洗浄用容器を提供する。【解決手段】洗浄用容器１００は、底面１０２には排水孔１０３が形成されている容器本体１０１と、容器本体１０１の外側底面に形成され、容器本体１０１を立たせることを可能にする脚部１０４と、からなる。洗浄用容器１００の使用時には、排水孔１０３は止水栓（図示せず）で塞ぐ。洗浄用容器１００の使用終了後には、止水栓を取り外すことにより、容器本体１０１の内部の水は排水孔１０３から外部に流れ出す。【選択図】図１
0003144115.tif 000002
【実用新案登録請求の範囲】
【請求項１】
内部に水を貯める洗浄用容器であって、
底面には排水孔が形成されている容器本体と、
前記容器本体の外側底面に形成され、前記容器本体を立たせることを可能にする脚部と、
を備える洗浄用容器。
【請求項２】
前記容器本体の内側から前記排水孔に嵌め込み可能な止水栓と、
前記止水栓を前記容器本体に連結する線状材と、
をさらに備えることを特徴とする請求項１に記載の洗浄用容器。
【請求項３】
前記脚部は前記容器本体の前記外側底面に対して取り外し自在であることを特徴とする請求項１または２に記載の洗浄用容器。
【考案の詳細な説明】
【技術分野】
【０００１】
本考案は、内部に水を貯めて使用する洗浄用容器に関する。
【背景技術】
【０００２】
調理時には、キッチンのシンク内にボールその他の洗浄用容器を置き、その中に水を貯め、その水で食材や食器などを洗浄することが頻繁に行われる。
【０００３】
そのような洗浄用容器の一例として、米研ぎ用ボールが実用新案登録第３０２０８６７号公報に記載されている。
【０００４】
同公報に記載されている米研ぎ用ボールにおいては、ボール本体の周壁部の上方に、外側に突出した領域が形成され、その領域に多数の水切り孔が形成されている。
【０００５】
ボール本体の中で米を研いだ後、ボール本体を傾斜させることにより、研いだ米がボール本体から外に流れ落ちることなく、水のみを水切り孔から流出させることができるようになっている。
【考案の開示】
【考案が解決しようとする課題】
【０００６】
ボール本体を水で満たすと、かなりの重量になる。このため、高齢者、身体障害者などの非力なユーザーにとっては、ボール本体を傾斜させることも困難であることが少なくない。
【０００７】
本考案は以上のような従来の洗浄用容器における問題点に鑑みてなされたものであり、非力なユーザーであっても容易に内部の水を排水することができる洗浄用容器を提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、内部に水を貯める洗浄用容器（１００）であって、底面（１０２）には排水孔（１０３）が形成されている容器本体（１０１）と、前記容器本体（１０１）の外側底面に形成され、前記容器本体（１０１）を立たせることを可能にする脚部（１０４）と、を備える洗浄用容器（１００）を提供する。
【００１０】
本考案に係る洗浄用容器（２００）は、前記容器本体（１０１）の内側から前記排水孔（１０３）に嵌め込み可能な止水栓（２０１）と、前記止水栓（２０１）を前記容器本体（１０１）に連結する線状材（２０２）と、をさらに備えることが可能である。
【００１１】
前記脚部（１０４）は前記容器本体（１０１）の前記外側底面に対して取り外し自在であることが好ましい。
【考案の効果】
【００１２】
例えば、本考案に係る洗浄用容器をシンクの中に置いて使用する場合、容器本体の外側底面には脚部が設けられているため、シンクの面と容器本体の外側底面との間には、脚部の長さに相当する隙間ができている。このため、止水栓を排水孔から抜き取ると、容器本体の中の水は排水孔からシンクに流れ出す。この際、脚部に起因して形成されている隙間により、容器本体の内部の水は抵抗を受けることなく、シンクに流れ出す。
【００１３】
このように、本考案に係る洗浄用容器によれば、従来の洗浄用容器とは異なり、洗浄用容器を傾ける必要がなく、単に、止水栓を排水孔から抜き取れば、容器本体の内部の水を排水することが可能である。このため、高齢者や身体障害者などの非力なユーザーであっても、容易に容器本体の内部の水を排水することが可能である。
【００１４】
また、本考案に係る洗浄用容器が止水栓と線状材とを追加的に備えることにより、さらに、以下の効果を奏する。
【００１５】
第一に、止水栓は線状材を介して容器本体に連結されているため、止水栓を紛失することを防止することが可能である。
【００１６】
第二に、線状材を引っ張ることにより、止水栓を排水孔から抜き取ることが可能であるため、止水栓を排水孔から抜き取ることが容易になる。
【００１７】
第三に、止水栓は容器本体の内側からのみ排水孔から抜き取ることができるものであるため、容器本体の外部において生じる要因によって、止水栓が排水孔から抜けることはない。
【００１８】
さらに、各脚部を容器本体に対して取り外し自在であるように構成することにより、複数の脚部のうちの何れかの脚部が破損した場合にはその脚部のみを交換することが可能であり、また、長さが異なる脚部を用意することにより、容器本体の高さを変えることが可能である（すなわち、容器本体とシンクとの間の隙間の大きさを調節することが可能である）。
【考案を実施するための最良の形態】
【００１９】
（第一の実施形態）
図１は、本考案の第一の実施形態に係る洗浄用容器１００の斜視図である。
【００２０】
図１に示すように、本実施形態に係る洗浄用容器１００は、容器本体１０１と、脚部１０４と、から構成されている。
【００２１】
容器本体１０１はステンレス鋼からなり、有底のほぼ立方体形状をなしており、内部に水を貯めることができるようになっている。
【００２２】
容器本体１０１の底面１０２には排水孔１０３が形成されている。容器本体１０１の内部に水を貯める場合には、適当な止水栓（図示せず）を用いて、排水孔１０３を塞いでおく。止水栓としては、例えば、ゴム製のものを用いることができる。
【００２３】
容器本体１０１の外側底面の四隅にはそれぞれ脚部１０４が形成されている。各脚部１０４は容器本体１０１と一体に形成されている。
【００２４】
４個の脚部１０４の長さは全て等しい。
【００２５】
容器本体１０１の外側底面に４個の脚部１０４が設けられていることにより、容器本体１０１は立った状態を維持することが可能になっている。
【００２６】
第一の実施形態に係る洗浄用容器１００は以下のようにして使用する。
【００２７】
洗浄用容器１００は、例えば、シンクの中に置いた状態で使用する。
【００２８】
使用時には、先ず、排水孔１０３を止水栓で塞ぐ。次いで、容器本体１０１の内部に水を入れる。その後、容器本体１０１内の水で食材または食器を洗浄する。
【００２９】
洗浄終了後は、止水栓を排水孔１０３から抜き取る。
【００３０】
容器本体１０１の外側底面には脚部１０４が設けられているため、シンクの面と容器本体１０１の外側底面との間には、脚部１０４の長さに相当する隙間ができている。このため、止水栓を排水孔１０３から抜き取ると、容器本体１０１の中の水は排水孔１０３からシンクに流れ出す。この際、脚部１０４に起因して形成されている隙間により、容器本体１０１の内部の水は抵抗を受けることなく、シンクに流れ出す。
【００３１】
このように、本実施形態に係る洗浄用容器１００によれば、従来の洗浄用容器とは異なり、洗浄用容器を傾ける必要がなく、単に、止水栓を排水孔１０３から抜き取れば、容器本体１０１の内部の水を排水することが可能である。
【００３２】
このため、高齢者や身体障害者などの非力なユーザーであっても、容易に容器本体１０１の内部の水を排水することが可能である。
【００３３】
なお、本実施形態に係る洗浄用容器１００は上記の構造に限定されるものではなく、種々の改変が可能である。
【００３４】
例えば、容器本体１０１の形状は立方体に限定されるものではなく、内部に水を貯めることができる形状である限りにおいて、任意の形状を取ることが可能である。例えば、容器本体１０１は、円形、楕円形、三角形その他の多角形などの形状を取ることが可能である。
【００３５】
また、本実施形態に係る洗浄用容器１００は４個の脚部１０４を有するものとして構成されているが、脚部１０４の数は４には限定されない。容器本体１０１を立たせることができる限りにおいて、任意の数を選択することが可能である。なお、本実施形態に係る洗浄用容器１００においては、４個の脚部１０４は容器本体１０１の四隅に配置されているが、脚部が設けられる位置は、容器本体１０１を立たせることが可能であるように、脚部の数に応じて決定される。
【００３６】
（第二の実施形態）
図２は、本考案の第二の実施形態に係る洗浄用容器２００の斜視図である。
【００３７】
本実施形態に係る洗浄用容器２００は、容器本体１０１の内側から排水孔１０３に嵌め込み可能な止水栓２０１と、止水栓２０１を容器本体１０１に連結する線状材２０２と、をさらに備える点において、第一の実施形態に係る洗浄用容器１００と構造的に異なる。
【００３８】
止水栓２０１及び線状材２０２以外の点に関しては、本実施形態に係る洗浄用容器２００は第一の実施形態に係る洗浄用容器１００と同一の構造を有している。このため、第一の実施形態に係る洗浄用容器１００と同一の構成要素に対しては同一の参照符号を用いて示す。
【００３９】
図３は、排水孔１０３に止水栓２０１を嵌め込んだ状態における縦断面図である。
【００４０】
図３に示すように、排水孔１０３は容器本体１０１の内側から外側に向かって開口半径が小さくなるようなテーパ形状の側壁を有している。
【００４１】
止水栓２０１は排水孔１０３のテーパ形状側壁の傾斜角度に等しい傾斜角度を有する外周面を有している。このため、止水栓２０１を排水孔１０３に嵌め込むことにより、排水孔１０３からの水の流出を止めることができる。
【００４２】
止水栓２０１は、例えば、ゴム製である。
【００４３】
線状材２０２は、例えば、チェーンからなる。線状材２０２の一端は容器本体１０１の上端に止められ、他端は止水栓２０１に連結されている。このため、止水栓２０１は線状材２０２を介して容器本体１０１に連結されていることになる。
【００４４】
本実施形態に係る洗浄用容器２００は、第一の実施形態に係る洗浄用容器１００と同様にして、使用される。
【００４５】
本実施形態に係る洗浄用容器２００によれば、第一の実施形態に係る洗浄用容器１００による効果に加えて、以下の効果を奏する。
【００４６】
第一に、止水栓２０１は線状材２０２を介して容器本体１０１に連結されているため、止水栓２０１を紛失することを防止することが可能である。
【００４７】
第二に、線状材２０２を引っ張ることにより、止水栓２０１を排水孔１０３から抜き取ることが可能であるため、止水栓２０１を排水孔１０３から抜き取ることが容易である。
【００４８】
第三に、止水栓２０１は容器本体１０１の内側からのみ排水孔１０３から抜き取ることができるものであるため、容器本体１０１の外部において生じる要因により、止水栓２０１が排水孔１０３から抜けることはない。
【００４９】
（第三の実施形態）
図４は、本考案の第三の実施形態に係る洗浄用容器３００の部分的な縦断面図である。
【００５０】
第一の実施形態に係る洗浄用容器１００においては、脚部１０４は容器本体１０１に対して固定されていたが、第三の実施形態に係る洗浄用容器３００においては、脚部１０４は容器本体１０１に対して取り外し自在であるように容器本体１０１に対して取り付けられている。この点を除いて、本考案の第三の実施形態に係る洗浄用容器３００は第一の実施形態に係る洗浄用容器１００と同一の構造を有している。
【００５１】
本考案の第三の実施形態に係る洗浄用容器３００においては、図４に示すように、容器本体１０１の四隅において、容器本体１０１の内側の底面１０２上に補強用ブロック３０１が取り付けられており、容器本体１０１及び補強用ブロック３０１の内部にネジ孔３０２が形成されている。ネジ孔３０２は補強用ブロック３０１の途中まで延びている（すなわち、ネジ孔３０２は補強用ブロック３０１を貫通していない）。
【００５２】
また、本考案の第三の実施形態に係る洗浄用容器３００においては、各脚部１０４は、図４に示すように、円柱形状の脚部本体１０４ａと、脚部本体１０４ａの一方の端面から脚部本体１０４ａと同心に外側に延びる雄ネジ部１０４ｂと、から構成されている。
【００５３】
雄ネジ部１０４ｂはネジ孔３０２に螺合可能であるように形成されている。
【００５４】
雄ネジ部１０４ｂをネジ孔３０２に螺合することにより、脚部１０４は容器本体１０１に対して取り付けられ、雄ネジ部１０４ｂをネジ孔３０２から外すことにより、脚部１０４は容器本体１０１から取り外される。
【００５５】
このように、本考案の第三の実施形態に係る洗浄用容器３００においては、各脚部１０４は容器本体１０１に対して取り外し自在に取り付けられている。
【００５６】
各脚部１０４を容器本体１０１に対して取り外し自在に形成することにより、何れかの脚部１０４が破損した場合にはその脚部１０４のみ交換することが可能であり、また、長さが異なる脚部本体１０４ａを用意することにより、容器本体１０１の高さを変えることが可能である（すなわち、容器本体１０１とシンクとの間の隙間の大きさを調節することが可能である）。
【００５７】
なお、本考案の第三の実施形態に係る洗浄用容器３００においては、各脚部１０４をネジ式とすることにより、容器本体１０１に対して取り付け・取り外しが自在であるように構成したが、脚部１０４の構造はネジ式には限定されない。容器本体１０１に対して取り付け・取り外しが自在である限りにおいて、脚部１０４の構造は任意である。
【００５８】
なお、本考案の第三の実施形態に係る洗浄用容器３００においては、各脚部１０４の構成要素である脚部本体１０４ａを円柱形状としたが、脚部本体１０４ａの形状は円柱には限定されない。脚部本体１０４ａは任意の形状をとることが可能である。
【図面の簡単な説明】
【００５９】
【図１】図１は本考案の第一の実施形態に係る洗浄用容器の斜視図である。
【図２】図２は本考案の第二の実施形態に係る洗浄用容器の斜視図である。
【図３】図３は本考案の第二の実施形態に係る洗浄用容器の部分的な縦断面図である。
【図４】図４は本考案の第三の実施形態に係る洗浄用容器の部分的な縦断面図である。
【符号の説明】
【００６０】
１００  本考案の第一の実施形態に係る洗浄用容器
１０１  容器本体
１０２  底面
１０３  排水孔
１０４  脚部
２００  本考案の第二の実施形態に係る洗浄用容器
２０１  止水栓
２０２  線状材
３００  本考案の第三の実施形態に係る洗浄用容器
３０１  補強用ブロック
３０２  ネジ孔
【図１】
0003144115.tif 000003
【図２】
0003144115.tif 000004
【図３】
0003144115.tif 000005
【図４】
0003144115.tif 000006